(57)【要約】【課題】ハサミの使用時に刃部に発生する衝撃や振動が軽減され、これら衝撃や振動がハサミを握る使用者の手に伝わりにくいハサミを提供する。【解決手段】２つの刃体２ａ、２ｂの少なくともいずれか１つに設けられ交点３と指環部５ａ、５ｂとの間を介在する弾性体１１を有する弾性部６を備えるハサミ１。【選択図】図１
2011041648.tif 000002
【特許請求の範囲】
【請求項１】
２つの刃体が交点で交差して前記交点を中心に回転可能に連結しているハサミであって、
前記２つの刃体は、刃先及び刃を有する刃部と、前記交点に対して前記刃先とは反対側にある指環部とを備え、
前記２つの刃体の少なくともいずれか１つに設けられ、前記交点と前記指環部との間を介在する弾性体を有する弾性部を備えるハサミ。
【請求項２】
前記弾性部は、前記刃部と前記指環部とが前記弾性体を介在させて嵌合している請求項１に記載のハサミ。
【請求項３】
前記２つの刃体の少なくともいずれか１つに設けられ、相手方の前記刃体の前記刃先を閉じる方向の回転の軌道上に突出し、前記相手方の前記刃体に接触して前記２つの刃体の前記刃先を閉じる方向の回転を制止させる回転制止部を有し、
前記弾性部が、前記回転制止部を有する前記刃体においては前記回転制止部よりも前記指環部の側に設けられ、前記相手方の前記刃体においては前記回転制止部と接触する部分よりも前記指環部の側に設けられている請求項１又は２に記載のハサミ。
【請求項４】
前記回転制止部は、前記刃体の前記刃部において前記刃先を閉じたときに前記相手方の前記刃体の前記刃部に接する刃裏における前記交点の近傍部分より突出し、
前記相手方の前記刃体は、前記刃部の縁において前記交点を中心として前記回転制止部と同一円周上の部分に切欠き部を有し、
前記切欠き部が、前記回転制止部を挿入させて前記回転制止部と接触し、前記２つの刃体の前記刃先を閉じる方向の前記回転を制止させる請求項３に記載のハサミ。
【請求項５】
前記回転制止部は、前記交点より前記刃先の側でかつ前記交点から前記弾性部までの距離よりも前記交点からの距離が小さくなるように設けられている請求項３又は４に記載のハサミ。
【請求項６】
前記回転制止部から前記交点までの距離が、前記交点から前記弾性部までの距離の２０分の１以下である請求項５に記載のハサミ。
【発明の詳細な説明】
【技術分野】
【０００１】
本発明は、文房具としての用途から、理美容用や服の仕立てなどでの職業上の道具としての用途まで適用できるハサミに関する。
【背景技術】
【０００２】
ハサミは、文房具の１つであり、理美容や服の仕立てなどの特定の職業では欠くことのできない重要な道具でもあるため、その用途に応じて様々な形状や機能を備えたものが存在する。
【０００３】
例えば理美容師など、連日長時間にわたりハサミを使用する人たちには、良く切れることはもちろんであるが、理美容師の職業病として知られる手の指の腱鞘炎を防止できるハサミや、腱鞘炎又は負傷した手で扱ってもハサミを握る手に痛みを感じさせないハサミが求められている。
【０００４】
ハサミを長時間使用する人たちの手や腕に腱鞘炎が生じる原因には、ハサミの開閉時にハサミを握る手に伝わる衝撃や振動が考えられている。そこで、ハサミの開閉時においてハサミを握る手に伝わる衝撃や振動を緩和するため、ハサミを握るときに手の指を通す指環部の形態に工夫が施されているハサミ（例えば特許文献１を参照）や、次に述べる特許文献２、３に記載のハサミなどが開発されている。
【０００５】
特許文献２には、対象物を切断する刃部と指環部との間の柄部において、制振合金が介在しているハサミが開示されている。このハサミでは、対象物を切断するときに刃部に発生する振動は、柄部の制振合金によって減衰されるため、指環部を握る使用者の手まで伝わりにくい。
【０００６】
特許文献３には、柄部に軟質ウレタンやシリコンゴム等の粘弾性体を埋め込んだハサミが開示されている。このハサミでは、ハサミの開閉により刃部で発生した衝撃や振動が柄部の粘弾性体によって吸収されるため、刃部で発生した衝撃や振動が指環部を握る使用者の手まで伝わりにくくなっている。
【先行技術文献】
【特許文献】
【０００７】
【特許文献１】特開２００６−１７５１２３号公報
【特許文献２】特開２００８−５８９６号公報
【特許文献３】国際公開第２００６／０２２３６８号パンフレット
【発明の概要】
【発明が解決しようとする課題】
【０００８】
しかしながら、特許文献２に開示されているハサミでは、振動の減衰が十分になされているとはいえない。さらに、このハサミでは、用途に応じて制振合金の組成を変えて制振合金の重量や硬さなどを調整する必要性が想定されるため大量生産に適さず実用で問題がある。
【０００９】
特許文献３に開示されているハサミには、製造時において柄部に粘弾性体をはめ込むという煩雑な作業が要求される。さらに、このハサミでは、刃先から指環部に到るまで１個又は複数個の金属製の部材が連続する実施形態も存在する。このような実施形態では、刃先側で発生した衝撃や振動が金属製の部材を伝わって指環部まで到達してしまう。
【００１０】
さらに、特許文献１〜３に記載のものを含む従来のハサミでは、対象物を切断するときなど２つの刃体の刃先を閉じるときには、刃体の回転運動を制止させるために使用者の手に握られている指環部同士を衝突させている。したがって、従来のハサミでは、使用者の手に握られる指環部そのものが衝撃や振動の発生源にもなっている。
【００１１】
上記の問題に鑑みて、本発明の課題は、ハサミの開閉によってハサミに発生する衝撃や振動が軽減され、これら衝撃や振動がハサミを握る使用者の手に伝わりにくいハサミを提供することにある。
【課題を解決するための手段】
【００１２】
上記課題を解決するため、本発明者は、鋭意検討した結果、本発明を完成するに至った。すなわち、本発明によれば、以下に示すハサミが提供される。
【００１３】
［１］  ２つの刃体が交点で交差して前記交点を中心に回転可能に連結しているハサミであって、前記２つの刃体は、刃先及び刃を有する刃部と、前記交点に対して前記刃先とは反対側にある指環部とを備え、前記２つの刃体の少なくともいずれか１つに設けられ、前記交点と前記指環部との間を介在する弾性体を有する弾性部を備えるハサミ。
【００１４】
［２］  前記弾性部は、前記刃部と前記指環部とが前記弾性体を介在させて嵌合している前記［１］に記載のハサミ。
【００１５】
［３］  前記２つの刃体の少なくともいずれか１つに設けられ、相手方の前記刃体の前記刃先を閉じる方向の回転の軌道上に突出し、前記相手方の前記刃体に接触して前記２つの刃体の前記刃先を閉じる方向の回転を制止させる回転制止部を有し、前記弾性部が、前記回転制止部を有する前記刃体においては前記回転制止部よりも前記指環部の側に設けられ、前記相手方の前記刃体においては前記回転制止部と接触する部分よりも前記指環部の側に設けられている前記［１］又は［２］に記載のハサミ。
【００１６】
［４］  前記回転制止部は、前記刃体の前記刃部において前記刃先を閉じたときに前記相手方の前記刃体の前記刃部に接する刃裏における前記交点の近傍部分より突出し、前記相手方の前記刃体は、前記刃部の縁において前記交点を中心として前記回転制止部と同一円周上の部分に切欠き部を有し、前記切欠き部が、前記回転制止部を挿入させて前記回転制止部と接触し、前記２つの刃体の前記刃先を閉じる方向の前記回転を制止させる前記［３］に記載のハサミ。
【００１７】
［５］  前記回転制止部は、前記交点より前記刃先の側でかつ前記交点から前記弾性部までの距離よりも前記交点からの距離が小さくなるように設けられている前記［３］又は［４］に記載のハサミ。
【００１８】
［６］  前記回転制止部から前記交点までの距離が、前記交点から前記弾性部までの距離の２０分の１以下である前記［５］に記載のハサミ。
【発明の効果】
【００１９】
本発明のハサミは、ハサミの開閉によってハサミに発生する衝撃や振動が軽減され、これら衝撃や振動がハサミを握る使用者の手に伝わりにくい。
【図面の簡単な説明】
【００２０】
【図１】本発明のハサミの一実施形態の正面図である。
【図２】図１中のＡ−Ａ’断面図である。
【図３】図１中のＢ−Ｂ’断面図である。
【図４】図１に示すハサミを交点近傍から指環部にかけて拡大した正面図である。
【図５】図４に示す状態から刃先が閉じる方向に刃体を回転させて回転制止部によって刃体の回転が制止された様子を表す本発明のハサミの拡大正面図である。
【図６】図４中のＡ−Ａ’断面図である。
【図７】図５中のＢ−Ｂ’断面図である。
【図８】指環部の側の交点の近傍に回転制止部及び切欠き部が設けられている本発明のハサミの拡大正面図である。
【図９】図８に示す状態から刃先が閉じる方向に刃体を回転させて回転制止部によって刃体の回転が制止された様子を表す本発明のハサミの拡大正面図である。
【発明を実施するための形態】
【００２１】
以下、図面を参照しつつ本発明の実施の形態について説明する。本発明は、以下の実施形態に限定されるものではなく、本発明の範囲を逸脱しない限りにおいて、変更、修正、改良を加え得るものである。
【００２２】
１．本発明のハサミの概要：
図１は、本発明の技術的範囲に属するハサミ１の正面図である。本発明のハサミ１は、２つの刃体２ａ、２ｂが交点３で交差し、刃体２ａ、２ｂはそれぞれ交点３を中心に回転可能に連結している。図１に示す実施形態のハサミ１では、刃体２ａ、２ｂの交点３において刃体２ａ、２ｂを共に貫通する穴が設けられ、この穴を刃体２ａ、２ｂを共貫通している状態にして刃体２ａ、２ｂを貫くようにネジ３５を通すことにより、２つの刃体２ａ、２ｂが連結している。
【００２３】
刃体２ａ、２ｂは、それぞれ刃部４ａ、４ｂと指環部５ａ、５ｂとを備えている。刃部４ａ、４ｂは、それぞれ刃先３２及び刃３１ａ、３１ｂを有する。また、指環部５ａ、５ｂは、刃体２ａ、２ｂにおいて交点３に対して刃先３２とは反対側にある。
【００２４】
本発明のハサミ１においても、２つの刃体２ａ、２ｂを回転させることによって刃先３２及び対向する刃３１ａ、３１ｂを開閉させ、刃３１ａ、３１ｂの間に置かれた対象物を切断できる。指環部５ａ、５ｂを互いに近づける方向に刃体２ａ、２ｂを回転させれば刃先３２が閉じ、指環部５ａ、５ｂを互いに離す方向に刃体２ａ、２ｂを回転させれば刃先３２が開く。
【００２５】
特に、本発明のハサミ１は、弾性部６を備えていることを特徴とし、刃先３２の開閉時や対象物の切断時において刃体２ａ、２ｂに発生する衝撃や振動が指環部５ａ、５ｂを握る使用者の手に伝わりにくくなっている。以下、弾性部６について詳しく述べる。
【００２６】
２．弾性部：
本発明のハサミ１では、刃体２ａ、２ｂの少なくともいずれかに弾性部６が設けられている。なお、図１には、刃体２ａ、２ｂ双方に弾性部６が設けられている実施形態を示す。刃体２ａに弾性部６が設けられているときには、この弾性部６は、交点３と指環部５ａとの間に存在する。また、刃体２ｂに弾性部６が設けられているときも、弾性部６と、交点３及び指環部５ｂとの関係は同様である。
【００２７】
刃体２ａ、２ｂ双方に衝撃や振動が発生しうるため、弾性部６は、２つの刃体２ａ、２ｂ共に設けられていることが好ましい。
【００２８】
図２は図１中のＡ−Ａ’断面図、図３は図１中のＢ−Ｂ’断面図であり、これらの図では、図１に示す実施形態のハサミ１での弾性部６における、刃部４ｂと指環部５ｂとの関係を表す。
【００２９】
図２、３に示す刃体２ｂを参照し説明すると、弾性部６は、交点３と指環部５ｂとの間に介在する弾性体１１を有する。
【００３０】
「弾性体１１が交点３と指環部５ａ、５ｂとの間に介在する」とは、弾性部６よりも交点３の側にある刃体２ａ、２ｂの部材と、弾性部６よりも指環部５ａ、５ｂの側にある刃体２ａ、２ｂの部材とが、直接接触せず、弾性体１１を介して連結している形態をいう。図２、３に示す実施形態でも、弾性体６よりも交点３の側にある部材である刃部４ｂと、弾性部６を挟んで交点３の反対側にある指環部５ｂとは直接接触していない。
【００３１】
また、図３の弾性部６の断面図に示す、弾性体１１が露出している両側部のように、刃部４ｂの一部と指環部５ｂの一部との間に空間を設けて、刃部４ｂと指環部５ｂとが直接接触しない形態になっていてもよい。
【００３２】
弾性体１１には、エポキシ樹脂、軟質ウレタン、シリコンゴムなど分子構造によって弾性を備える材質の部材を挙げることができる。
【００３３】
図２、３に示す刃体２ｂを参照し述べると、弾性体１１としてエポキシ樹脂、軟質ウレタン、シリコンゴムなど分子構造によって弾性を備える部材を用いる場合、弾性部６は、刃部４ｂと指環部５ｂとが弾性体１１を介在させて嵌合している形態にすることが好ましい。
【００３４】
図２、３に示す弾性部６では、刃部４ｂの端部に凹部、指環部５ｂの端部に凸部を設け、指環部５ｂの凸部の表面が上述のエポキシ樹脂や軟質ウレタン等からなる弾性体１１によって被覆されている。さらに、この弾性体１１によって被覆されている指環部５ｂの凸部をそのまま刃部４ｂの凹部に押圧し嵌合させている。これとは逆に、刃部４ｂの端部を凸部としてこれに弾性体１１を被覆し、指環部５ｂの端部の凹部に押圧し嵌合させる実施形態でもよい。
【００３５】
以上で説明したような弾性部６を有する刃体２ａ、２ｂでは、弾性部６よりも刃先３２側で発生した衝撃や振動が指環部５ａ、５ｂに伝わるには必ず１度は弾性体１１を通過することになる。そのため、これら衝撃や振動が弾性体１１によって吸収、減衰されて指環部５ａ、５ｂには伝わりにくい。
【００３６】
本発明のハサミ１は、ここまでに述べた特徴を備えつつ、以下に述べる実施形態にすることも可能である。
【００３７】
３．回転制止部：
図１を参照し述べると、本発明のハサミ１では、２つの刃体２ａ、２ｂの少なくともいずれか１つに、以下に詳しく述べる回転制止部７が設けられていると好ましい。
【００３８】
まず、回転制止部７の説明のために参照する図について述べる。図４は、図１に示すハサミ１の正面図を交点３の近傍から指環部５ａ、５ｂにかけて拡大した図である。図５は、図４に示す状態から刃先３２を閉じる方向に刃体２ａ、２ｂを回転させていった状態を示す。図６は、図４中のＡ−Ａ’断面図であり、図７は、図５中のＢ−Ｂ’断面図であり、これらの図は刃体２ａ、２ｂが刃先３２を閉じる回転をした際の回転制止部７が設けられている刃体２ａと相手方の刃体２ｂとの関係を表している。
【００３９】
図６に示す刃体２ａ、２ｂを参照し述べると、回転制止部７は、刃体２ａにおいて、相手方の刃体２ｂの刃先を閉じる方向の回転の軌道３０上に突出している。
【００４０】
そのため、図６に示す刃体２ａ、２ｂが刃先３２を閉じる方向の回転を続けるとき、図７に示すように、刃体２ａより突出している回転制止部７は、相手方の刃体２ｂに接触する。この接触により、２つの刃体２ａ、２ｂの刃先３２を閉じる方向の回転が制止される。なお、回転制止部７の「突出」とは、上述の作用を発揮する限りその範疇に入り、例えば、刃体２ａの一部分が相手方の刃体２ｂの回転の軌道３０を遮るような形状を刃体２ａが備えていれば、刃体２ａから回転制止部７が突出しているという範疇に入る。
【００４１】
さらに、図５に示すように、回転制止部７と相手方の刃体２ｂが接触している状態のとき、指環部５ａと指環部５ｂとの間の隙間ｇの幅が十分に確保されていると好ましい。この隙間ｇによって、刃先３２を勢いよく開閉する場合であっても、指環部５ａと指環部５ｂとの衝突が防がれ、指環部５ａ、５ｂ自体が衝撃や振動の発生源にならなくなる。例えば、弾性部６の働きによって刃体２ａ、２ｂに若干しなりが生じる場合には、このような刃体２ａ、２ｂのしなりが生じてもなお指環部５ａと指環部５ｂとが激しく衝突しないあるいは全く衝突しないように、指環部５ａと指環部５ｂとの間の隙間ｇの幅を定めることが好ましい。
【００４２】
図８は、本発明の技術的範囲に属するハサミ１の拡大正面図であり、この図に示すハサミ１では図４〜７とは異なる実施形態の回転制止部７を備えている。図９は、図８に示す状態から刃先３２を閉じる方向の回転をしたハサミ１の拡大正面図である。図４と図８とを比較してわかるように、回転制止部７は、交点３より刃先３２の側にあっても、指環部５ａ、５ｂの側にあってもよい。
【００４３】
３−１．弾性部と回転制止部との位置関係：
図１に示すハサミ１を一具体例として参照し以下に説明すると、回転制止部７を有する実施形態では、刃体２ａに設けられている回転制止部７と相手方の刃体２ｂとの接触によって刃体２ａ、２ｂに生じる衝撃や振動を指環部５ａ、５ｂに伝わる前に吸収・減衰させるために、弾性部６と回転制止部との位置関係は、次に述べる第１〜３のルールに従う。
【００４４】
第１に、回転制止部７を有する刃体２ａに弾性部６を備える場合には、弾性部６は、回転制止部７よりも指環部５ａの側に設けられる。
【００４５】
第２に、刃先３２を閉じることによって回転制止部７と接触する、相手方の刃体２ｂに弾性部６を備える場合には、弾性部６は、回転制止部７と接触する部分よりも指環部５ｂの側に設けられる。
【００４６】
第３に、ここでは図示しないが、２つの刃体２ａ、２ｂ双方に回転制止部７が設けられている場合、それぞれの刃体２ａ、２ｂにおいて、弾性部６は、上記の第１のルール及び第２のルール双方に従う位置に設けられる。
【００４７】
刃体２ａ、２ｂにおいて回転制止部７及びこれに接触する相手方の刃体２ｂの部分は衝撃や振動の発生源であるが、上述の第１〜３のルールに従う限り、弾性部６は、この発生源と指環部５ａ、５ｂとの間に配置されることになる。そのため、回転制止部７と相手方の刃体２ｂとの接触によって生じる衝撃や振動は、弾性部６によって減衰、吸収され、指環部５ａ、５ｂを握る使用者の手に伝わりにくくなる。
【００４８】
回転制止部７を有する実施形態では、一方の刃体２ａに設けられている回転制止部７と相手方の刃体２ｂとの接触によって刃体２ａ、２ｂ双方に衝撃や振動が発生するため、２つの刃体２ａ、２ｂ双方に弾性部６が設けられていると好ましい。
【００４９】
３−２．回転制止部より生じる衝撃・振動をテコの原理を利用して吸収・減衰する実施形態：
図４を参照し述べると、本発明のハサミ１において、回転制止部７を有する実施形態では、回転制止部７が交点３より刃先３２の側にあり、かつ、交点３から弾性部６までの距離Ｒａ、Ｒｂに対して、回転制止部７から交点３までの距離ｒの方が小さいことが好ましい。
【００５０】
なお、この実施形態では、回転制止部７と相手方の刃体２ｂとの接触により刃体２ａ、２ｂ双方に衝撃や振動が伝わることを考慮し、回転制止部７から交点までの距離ｒは、回転制止部７を備える刃体２ａにおける交点３から弾性部６までの距離Ｒａ、及び回転制止部７を受け止める相手方の刃体２ｂにおける交点３から弾性部６までの距離Ｒｂいずれに対しても小さい。
【００５１】
この実施形態をテコの原理に当てはめて説明すると、刃部２ａ、２ｂの回転の中心である交点３が支点に相当し、回転制止部７及びこれに接触する相手方の刃体２ｂの部分が力点、弾性部６は作用点に相当する。よって、回転制止部７と相手方の刃体２ｂとの接触によって発生した衝撃や振動に対して、回転制止部７近傍でこれら衝撃や振動を吸収するのに要すると想定される力の大きさよりも、回転制止部７との間に交点３を挟みかつ交点３からの距離がより大きく保たれている弾性部６では、これら衝撃や振動をより小さい吸収力で抑えることができる。
【００５２】
このようなテコの原理を応用した衝撃や振動の吸収と減衰をより効果的にするため、回転制止部７から交点３までの距離ｒが、交点３から弾性部６までの距離Ｒａ、Ｒｂの２０分の１以下であるとより好ましい。
【００５３】
４．切欠き部：
図４、６に示すように、本発明のハサミ１では、回転制止部７が刃裏３８ａにおける交点３の近傍部分より突出している場合、次に詳しく述べるように、相手方の刃体２ｂには刃部４ｂの縁に切欠き部２１を設けると好ましい。なお、刃裏３８ａとは、刃先３２を閉じていったときに、一方の刃体２ａの刃部４ａにおいて相手方の刃体２ｂの刃部４ｂに接する部分をいう。
【００５４】
図４の状態から図５の状態に推移する刃体２ａ、２ｂの回転を考慮しつつ述べると、切欠き部２１は、刃部４ｂの縁において、交点３を中心として回転制止部７と同一円周上の部分に設けられている。これによって、刃体２ａ、２ｂが刃先３２を閉じる方向に回転していったとき、切欠き部２１内に回転制止部７が挿入され、最終的には図５、７に示すように、切欠き部２１の壁面と回転制止部７とが接触し、刃体２ａ、２ｂの刃先３２を閉じる回転が制止される。
【００５５】
図４に示す実施形態を例に述べると、回転制止部７が交点３より刃先３２の側にある場合には、切欠き部２１は、相手方の刃体２ｂにおいて、刃部４ｂの刃３１ｂ側の縁に設けられる。対して、図８に示す実施形態を例に述べると、回転制止部７が交点３より指環部５ｂの側にある場合には、切欠き部２１は、相手方の刃体２ｂにおいて、峰３３ｂ側の縁に設けられる。
【００５６】
このように切欠き部２１が設けられている場合、一般に流通しているハサミのように刃部４ａ、４ｂの刃３１ａ、３１ｂから峰３３ａ、３３ｂまでの幅がほぼ同じの実施形態では、刃体２ａ、２ｂの刃先３２が重なるときに、ちょうど刃部４ａと刃部４ｂとが縁同士を一致させてきれいに重なり合うようにできる（図５、９参照）。
【００５７】
なお、回転制止部７は、いわゆる動刃、静刃のいずれにあってもよく、それに応じて、切り欠き部２１は、相手方の刃体に設けられていればよい。
【００５８】
以上に述べた本発明のハサミ１では、衝撃や振動が指環部５ａ、５ｂに伝わらないため、長時間にわたり使用しても使用者の手に腱鞘炎が生じにくく、また腱鞘炎や傷などを負っている手で扱ってもハサミを握る手に痛みを生じにくい。
【産業上の利用可能性】
【００５９】
本発明は、文房具としての用途から、理美容や服の仕立てなどでの職業上の道具としての用途まで適用できるハサミとして利用できる。
【符号の説明】
【００６０】
１：ハサミ、２ａ：刃体、２ｂ：刃体、３：交点、４ａ：刃部、４ｂ：刃部、５ａ：指環部、５ｂ：指環部、６：弾性部、７：回転制止部、１１：弾性体、２１：切欠き部、３０：刃体の刃先を閉じる方向の回転の軌道、３１ａ：刃、３１ｂ：刃、３２：刃先、３３ａ：峰、３３ｂ：峰、３５：ネジ、３８ａ：刃裏、３８ｂ：刃裏。
【図１】
2011041648.tif 000003
【図２】
2011041648.tif 000004
【図３】
2011041648.tif 000005
【図４】
2011041648.tif 000006
【図５】
2011041648.tif 000007
【図６】
2011041648.tif 000008
【図７】
2011041648.tif 000009
【図８】
2011041648.tif 000010
【図９】
2011041648.tif 000011
【手続補正書】
【提出日】平成22年1月26日(2010.1.26)
【手続補正１】
【補正対象書類名】特許請求の範囲
【補正対象項目名】全文
【補正方法】変更
【補正の内容】
【特許請求の範囲】
【請求項１】
２つの刃体が交点で交差して前記交点を中心に回転可能に連結しているハサミであって、
前記２つの刃体は、刃先及び刃を有する刃部と、前記交点に対して前記刃先とは反対側にある指環部とを備え、
前記２つの刃体の少なくともいずれか１つに設けられ、相手方の前記刃体の前記刃先を閉じる方向の回転の軌道上に突出し、前記相手方の前記刃体に接触して前記２つの刃体の前記刃先を閉じる方向の回転を制止させる回転制止部を有し、
前記２つの刃体の少なくともいずれか１つにおいて、前記回転制止部を有する前記刃体においては前記回転制止部よりも前記指環部の側で、前記相手方の前記刃体においては前記回転制止部と接触する部分よりも前記指環部の側で、前記交点と前記指環部との間に弾性部が設けられ、
前記弾性部が、前記弾性部よりも前記交点の側にある前記刃体の部材と前記弾性部よりも前記指環部の側にある前記刃体の部材とが直接接触しないように前記交点と前記指環部との間に介在する弾性体を有し、
前記弾性部が設けられている前記刃体において、前記弾性部よりも前記交点の側にある前記刃体の部材と前記弾性部よりも前記指環部の側にある前記刃体の部材とが前記弾性体を介在させて嵌合しているハサミ。
【請求項２】
前記弾性部が設けられている前記刃体において、前記刃部と前記指環部とが前記弾性体を介在させて嵌合している請求項１に記載のハサミ。
【請求項３】
前記回転制止部は、前記刃体の前記刃部において前記刃先を閉じたときに前記相手方の前記刃体の前記刃部に接する刃裏における前記交点の近傍部分より突出し、
前記相手方の前記刃体は、前記刃部の縁において前記交点を中心として前記回転制止部と同一円周上の部分に切欠き部を有し、
前記切欠き部が、前記回転制止部を挿入させて前記回転制止部と接触し、前記２つの刃体の前記刃先を閉じる方向の前記回転を制止させる請求項１又は２に記載のハサミ。
【請求項４】
前記回転制止部は、前記交点より前記刃先の側でかつ前記交点から前記弾性部までの距離よりも前記交点からの距離が小さくなるように設けられている請求項１〜３のいずれか一項に記載のハサミ。
【請求項５】
前記回転制止部から前記交点までの距離が、前記交点から前記弾性部までの距離の２０分の１以下である請求項４に記載のハサミ。
【手続補正２】
【補正対象書類名】明細書
【補正対象項目名】００１３
【補正方法】変更
【補正の内容】
【００１３】
［１］  ２つの刃体が交点で交差して前記交点を中心に回転可能に連結しているハサミであって、前記２つの刃体は、刃先及び刃を有する刃部と、前記交点に対して前記刃先とは反対側にある指環部とを備え、前記２つの刃体の少なくともいずれか１つに設けられ、相手方の前記刃体の前記刃先を閉じる方向の回転の軌道上に突出し、前記相手方の前記刃体に接触して前記２つの刃体の前記刃先を閉じる方向の回転を制止させる回転制止部を有し、前記２つの刃体の少なくともいずれか１つにおいて、前記回転制止部を有する前記刃体においては前記回転制止部よりも前記指環部の側で、前記相手方の前記刃体においては前記回転制止部と接触する部分よりも前記指環部の側で、前記交点と前記指環部との間に弾性部が設けられ、前記弾性部が、前記弾性部よりも前記交点の側にある前記刃体の部材と前記弾性部よりも前記指環部の側にある前記刃体の部材とが直接接触しないように前記交点と前記指環部との間に介在する弾性体を有し、前記弾性部が設けられている前記刃体において、前記弾性部よりも前記交点の側にある前記刃体の部材と前記弾性部よりも前記指環部の側にある前記刃体の部材とが前記弾性体を介在させて嵌合しているハサミ。
【手続補正３】
【補正対象書類名】明細書
【補正対象項目名】００１４
【補正方法】変更
【補正の内容】
【００１４】
［２］  前記弾性部が設けられている前記刃体において、前記刃部と前記指環部とが前記弾性体を介在させて嵌合している前記［１］に記載のハサミ。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
［３］  前記回転制止部は、前記刃体の前記刃部において前記刃先を閉じたときに前記相手方の前記刃体の前記刃部に接する刃裏における前記交点の近傍部分より突出し、前記相手方の前記刃体は、前記刃部の縁において前記交点を中心として前記回転制止部と同一円周上の部分に切欠き部を有し、前記切欠き部が、前記回転制止部を挿入させて前記回転制止部と接触し、前記２つの刃体の前記刃先を閉じる方向の前記回転を制止させる前記［１］又は［２］に記載のハサミ。
【手続補正６】
【補正対象書類名】明細書
【補正対象項目名】００１７
【補正方法】変更
【補正の内容】
【００１７】
［４］  前記回転制止部は、前記交点より前記刃先の側でかつ前記交点から前記弾性部までの距離よりも前記交点からの距離が小さくなるように設けられている前記［１］〜［３］のいずれかに記載のハサミ。
【手続補正７】
【補正対象書類名】明細書
【補正対象項目名】００１８
【補正方法】変更
【補正の内容】
【００１８】
［５］  前記回転制止部から前記交点までの距離が、前記交点から前記弾性部までの距離の２０分の１以下である前記［４］に記載のハサミ。